Podtech/llm-jp-corpus-v4-ja_patent huggingface dataset:
【手続補正書】
【提出日】平成15年10月29日(2003.10.29)
【手続補正１】
【補正対象書類名】明細書
【補正対象項目名】請求項１
【補正方法】変更
【補正の内容】
【請求項１】
眼から出る波面からのセンサー画像データの質を改善するための方法であって、該データは画素アレイの強度からなり、
フィルターアレイについて該アレイの各位置に係数を割り当てるステップ、及び
前記フィルターアレイを前記画素アレイ中の各位置に適用するステップ
を含む上記方法。
【手続補正２】
【補正対象書類名】明細書
【補正対象項目名】請求項４
【補正方法】変更
【補正の内容】
【請求項４】
前記画素アレイのエッジから所定の距離内のエッジ領域を決めるステップ、
前記画素アレイの外側のエッジ外領域を決めるステップ、
前記画素アレイ内の最も近い位置に実質的に等しいデータを前記エッジ外領域に割り当てるステップ、及び
前記エッジ外領域を含むように前記フィルター適用ステップを拡大するステップ
をさらに含む、請求項１記載の方法。
【手続補正３】
【補正対象書類名】明細書
【補正対象項目名】請求項５
【補正方法】変更
【補正の内容】
【請求項５】
前記画素アレイの外側のエッジ外領域を決めるステップ、
前記エッジ外領域内の各画素に最も近い少なくとも２つの画素からデータをエッジ外領域に外挿するステップ、及び
前記エッジ外領域を含むように前記フィルター適用ステップを拡大するステップ
をさらに含む、請求項１記載の方法。
【手続補正４】
【補正対象書類名】明細書
【補正対象項目名】請求項７
【補正方法】変更
【補正の内容】
【請求項７】
眼から出る波面からのセンサー画像データの質を改善するためのシステムであって、該データは画素アレイの強度からなり、該システムは、
プロセッサー、及び
該プロセッサー上にインストールされたソフトウエアパッケージを含んだ波面分析器
を含み、前記ソフトウエアパッケージは、
フィルターアレイについて該アレイの各位置に係数を割り当てるための手段、及び
前記フィルターアレイを前記画素アレイ中の各位置に適用するための手段
を有する、上記システム。
【手続補正５】
【補正対象書類名】明細書
【補正対象項目名】請求項１０
【補正方法】変更
【補正の内容】
【請求項１０】
前記ソフトウエアパッケージが、
前記画素アレイのエッジから所定距離内のエッジ領域を決めるための手段、
前記画素アレイの外側のエッジ外領域を決めるための手段、
前記画素アレイ内の最も近い位置に実質的に等しいデータを前記エッジ外領域に割り当てるための手段、及び
前記エッジ外領域を含むように前記フィルターの適用を拡大するための手段
をさらに含む、請求項７記載のシステム。
【手続補正６】
【補正対象書類名】明細書
【補正対象項目名】請求項１５
【補正方法】変更
【補正の内容】
【請求項１５】
フィルターアレイについて該アレイの各位置に係数を割り当てて前記空間フィルターを形成するステップをさらに含む、請求項１４記載の方法。
【手続補正７】
【補正対象書類名】明細書
【補正対象項目名】請求項１８
【補正方法】変更
【補正の内容】
【請求項１８】
前記ソフトウエア手段が、フィルターアレイについて該アレイの各位置に係数を割り当てて前記空間フィルターを形成するための手段をさらに含む、請求項１７記載のシステム。
【手続補正８】
【補正対象書類名】明細書
【補正対象項目名】０００９
【補正方法】変更
【補正の内容】
【０００９】
発明の概要
従って、本発明の目的は、照射された眼からのセンサー画像波面データをフィルタリングするためのシステム及び方法を提供することである。
別の目的は、ハルトマン−シャック画像に適用できる上記システム及び方法を提供することである。
別の目的は、画像データ中のノイズを除去するための上記システム及び方法を提供することである。
別の目的は、スペックルを除去するための上記システム及び方法を提供することである。
さらに別の目的は、非一様な背景ノイズをフィルタリングして除くための上記システム及び方法を提供することである。
さらに別の目的は、大きな収差を有する眼を分析する上で有効な上記システム及び方法を提供することである。
これらの目的及びその他の目的は、眼から発する波面からのセンサー画像データの質を改善する本発明により達成される。センサー画像データは、画素アレイの強度からなる。本方法は、フィルターアレイについて該アレイの各位置に係数を割り当て(populating)、画素アレイ中の各位置にフィルターアレイを適用するステップを含む。本システムは、プロセッサーと上記方法のステップを行うのに適応したソフトウエアパッケージとを含む。
機構や操作法について本発明を特徴付ける特徴が、さらなる目的とその利点と共に、添付図面に関連して用いられる以下の説明からよく理解されるであろう。図面は説明のためであり、本発明の限界を定めるものとして意図したものでないことは明らかに分かる。本発明により達成されるこれら及びその他の目的、与えられる利点は、添付図面に関連して以下の記載を読めば十分に明らかとなるであろう。


【手続補正９】
【補正対象書類名】明細書
【補正対象項目名】００３９
【補正方法】変更
【補正の内容】
【００３９】
次に、空間フィルターを適用する手順を説明する。
１．  要求される係数をｎ×ｎアレイに割り当てることにより、フィルターを製作する。正方形のアレイを使用するが、係数は半径方向にてほぼ対称的であることに留意されたい。
２．  次の例示的な反復アプローチを用いてフィルター係数と元の強度の組み合わせから全ての位置で新しい強度を計算する。
【手続補正書】
【提出日】平成17年2月25日(2005.2.25)
【手続補正１】
【補正対象書類名】明細書
【補正対象項目名】特許請求の範囲
【補正方法】変更
【補正の内容】
【特許請求の範囲】    
【請求項１】
配列番号：1〜42、およびそれに関連する調節配列より選択される単離核酸分子。
【請求項２】
関連する調節配列がCpGリッチ領域を含む、請求項1記載の核酸分子。
【請求項３】
GpGリッチ領域のメチル化状態により、核酸分子を単離した被検者における細胞増殖性疾患の存在が決定される、請求項2記載の核酸分子。
【請求項４】
CpG島の過剰メチル化が、核酸を単離した被検者における細胞増殖性疾患の存在の指標である、請求項2記載の核酸分子。
【請求項５】
配列番号：39〜42より選択される、請求項1記載の核酸分子。
【請求項６】
配列番号：39〜42より選択されたポリヌクレオチドによりコードされる、実質的に精製されたポリペプチド。
【請求項７】
a）被検者由来の核酸含有検体を、表1のMICP1〜42より選択される少なくとも1つの遺伝子または該遺伝子関連調節領域およびその組合せのメチル化状態を決定する薬剤と接触させる段階；および
b）遺伝子領域または調節領域について、細胞増殖性疾患をもたない被検者の同じ遺伝子領域または関連調節領域と比較した場合に異なると同定される異常メチル化を同定し、これにより、被検者における細胞増殖性疾患を検出する段階
を含む、被験者における細胞増殖性疾患の検出法。
【請求項８】
遺伝子領域がGpGリッチ領域内に含まれる、請求項7記載の方法。
【請求項９】
遺伝子が配列番号：39、40、41または42である、請求項7記載の方法。
【請求項１０】
異常メチル化が、細胞増殖性疾患をもたない被検者の同じ遺伝子領域または関連調節領域と比較した場合に、過剰メチル化を含む、請求項7記載の方法。
【請求項１１】
領域が遺伝子の調節領域を含む、請求項10記載の方法。
【請求項１２】
薬剤が、遺伝子または該遺伝子の関連調節領域中の標的配列とハイブリダイズする一対のプライマーである、請求項7記載の方法。
【請求項１３】
核酸含有検体が、脳、結腸、泌尿生殖器、肺、腎臓、前立腺、膵臓、肝臓、食道、胃、造血器官、乳房、胸腺、精巣、卵巣および子宮からなる群より選択される組織を含む、請求項7記載の方法。
【請求項１４】
核酸含有検体が、血清、尿、唾液、血液、十二指腸液、膵液、脳脊髄液、胸水、腹水、痰、便および生検試料からなる群より選択される、請求項7記載の方法。
【請求項１５】
細胞増殖性疾患が、低度星細胞腫、未分化星細胞腫、グリア芽細胞腫、髄芽腫、胃がん、結腸直腸がん、結腸直腸腺腫、急性骨髄性白血病、肺がん、腎臓がん、白血病、乳がん、前立腺がん、子宮内膜がんおよび神経芽細胞腫からなる群より選択される、請求項11記載の方法。
【請求項１６】
a）試料をその中に受け取るように区画化したキャリア手段；
b）非メチル化シトシンを修飾する試薬を含む第1の容器と、配列番号：1〜42より選択された配列を有する標的ポリヌクレオチド配列とハイブリダイズするCpG含有核酸増幅用プライマーを含む第2の容器とを含む1つ以上の容器、
を含む、被検者における細胞増殖性疾患の検出に有用なキット。
【請求項１７】
メチル化感受性制限エンドヌクレアーゼを含んだ第3の容器をさらに含む、請求項16記載のキット。
【請求項１８】
修飾試薬がビスルファイトである、請求項16記載のキット。
【請求項１９】
プライマーが、配列番号：39、40、41または42に示す配列を有した標的ポリヌクレオチド配列とハイブリダイズする、請求項16記載のキット。
【請求項２０】
配列番号：1〜42からなる群より選択される配列を有した標的ポリヌクレオチド配列とハイブリダイズする、メチル化CpG含有核酸検出用の単離オリゴヌクレオチドプライマー。
【請求項２１】
配列番号：43〜114より選択される単離オリゴヌクレオチドプライマー対。
【手続補正２】
【補正対象書類名】明細書
【補正対象項目名】０１１０
【補正方法】変更
【補正の内容】
【０１１０】
（表３Ａ）  ビスルファイト配列用のプライマー配列
2004524030.tif 000001
＊55（5サイクル）、53（5サイクル）、51（5サイクル）、49（26サイクル）
＊＊60（3サイクル）、58（4サイクル）、56（５サイクル）、54（26サイクル）
＊＊＊58（3サイクル）、56（4サイクル）、54（5サイクル）、52（26サイクル）
【手続補正３】
【補正対象書類名】明細書
【補正対象項目名】０１１１
【補正方法】変更
【補正の内容】
【０１１１】
（表３Ｂ）  MSP用のプライマー配列
2004524030.tif 000002
【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】  対象物の壁面に取り付けて、昆虫障壁の下方の位置から、昆虫障壁の上方の位置に、昆虫が上記障壁を越えて移動することを阻止する昆虫障壁において、上記障壁は、ベルト手段及び接触手段を有する昆虫障壁であって、
上記ベルト手段は、或る長さ及び或る幅と、昆虫がその上を移動することを阻止する表面とを含み、
上記接触手段は、その間を昆虫が通ることを阻止するよう上記壁面と係合するための、変形可能な厚さを有する不織布材料の層を含むことを特徴とする昆虫障壁。
【請求項２】  昆虫がその上を移動することを阻止する上記表面は、滑り面を含むことを特徴とする請求項１記載の昆虫障壁。
【請求項３】  昆虫がその上を移動することを阻止する上記表面は、粘着性物質、殺虫剤、又は、粘着性物質及び殺虫剤の組合せを含むことを特徴とする請求項１又は２記載の昆虫障壁。
【請求項４】  上記ベルト手段の上記幅は、上記接触手段より下に延在する下方向延長部を形成するよう上記不織布材料の層より下に延在することを特徴とする請求項１乃至３のうちいずれか一項記載の昆虫障壁。
【請求項５】  昆虫がその上を移動することを阻止する上記表面は、上記下方向延長部上にあることを特徴とする請求項４記載の昆虫障壁。
【請求項６】  昆虫がその上を移動することを阻止する上記表面は、上記下方向延長部の内側及び外側の両方にあることを特徴とする請求項５記載の昆虫障壁。
【請求項７】  上記壁面は、人工の構造物の表面であることを特徴とする請求項１乃至６のうちいずれか一項記載の昆虫障壁。
【請求項８】  上記壁面は、木の表面であることを特徴とする請求項１乃至６のうちいずれか一項記載の昆虫障壁。
【請求項９】  上記昆虫障壁は、略円筒形であることを特徴とする請求項１乃至８のうちいずれか一項記載の昆虫障壁。
【手続補正書】
【提出日】平成15年3月12日(2003.3.12)
【手続補正１】
【補正対象書類名】明細書
【補正対象項目名】特許請求の範囲
【補正方法】変更
【補正の内容】
【特許請求の範囲】
【請求項１】
フレームと、肉エマルジョンポンプと、このポンプからの肉エマルジョンを受けるよう、ポンプに作動的に接続されており、細長い中空ソーセージケーシングの外側表面をスライド可能に受けるようになっている細長い詰め込みチューブと、前記チューブが作動的に係合する状態に移動した時にチューブ上のケーシングを受け、これを回転させようになっているねじりアセンブリと、肉エマルジョンが充填されたケーシングをリンクするようにねじりアセンブリの下流側においてフレーム上に設けられたケーシングリンクアセンブリと、前記ポンプ、ねじりアセンブリおよびリンクアセンブリを作動させるべく、フレームに設けられた動力手段とを備える、ソーセージ詰め装置において、
フレームに設けられたコンピュータと、前記チューブの出口端の下流側における前記ケーシングの直径を検出するよう、前記チューブの出口端の下流側に位置するフレームに設けられたケーシング直径センサとを備え、前記センサが前記コンピュータに接続され、検出中のケーシングに関するデータをコンピュータへ送るようになっており、前記コンピュータが、所定範囲の許容可能なケーシングの直径に対して所定の直径のパラメータにプログラムされており、検出されたケーシングの直径が所定のパラメータを越えたことをコンピュータが検出した時に作動を中止させるよう、動力手段に信号を送るように前記コンピュータがプログラムされており、前記ケーシングが前記チューブの出口端から下流側に移動する際の、前記ケーシングの複数の直径に関するデータを収集するように、前記センサが所定の時間の間、ケーシングの長手方向部分をスキャンするようになっており、かつ所定時間の間に検出されるチューブの平均直径を決定するための手段が設けられており、前記平均直径を所定の直径パラメータと比較するように、コンピュータが使用されるようになっている、ソーセージ詰め装置。
記載の装置。
【請求項２】
フレームと、肉エマルジョンポンプと、このポンプからの肉エマルジョンを受けるよう、ポンプに作動的に接続されており、細長い中空ソーセージケーシングの外側表面をスライド可能に受けるようになっている細長い詰め込みチューブと、前記チューブが作動的に係合する状態に移動した時にチューブ上のケーシングを受け、これを回転するようになっているねじりアセンブリと、肉エマルジョンが充填されたケーシングをリンクするように、ねじりアセンブリの下流側においてフレームに設けられたケーシングリンクアセンブリと、前記ポンプ、ねじりアセンブリおよびリンクアセンブリを作動させるようにフレームに設けられた動力手段とを備える、ソーセージ詰め装置を制御する方法において、
前記チューブから出る肉エマルジョンがケーシングを満たすように、前記チューブに細長い中空ソーセージケーシングを挿入するステップと、前記ポンプ、前記ねじりアセンブリおよびリンクアセンブリに作動動力を供給するステップと、チューブの出口端がリンクアセンブリに隣接して終端するように、前記リンクアセンブリを前記チューブが通過するようにさせるステップと、チューブの出口端からケーシングが下流側に移動する際の、ケーシングの複数の直径のデータを収集するよう、所定の時間の間、前記チューブの出口端から下流側のある長さのケーシングの外径を検出するステップと、前記所定時間中に検出されるチューブの平均直径を決定するステップと、ある範囲の許容可能なケーシングの直径に関し、ケーシングの検出された直径と所定の直径のパラメータとを比較するステップと、ケーシングの測定された直径に関するセンサからのデータをコンピュータに転送するステップと、測定された直径が所定の直径のパラメータ外である場合に、コンピュータに装置の作動を停止させるステップとを有する、ソーセージ詰め装置を制御する方法。
【請求項３】
フレームと、肉エマルジョンポンプと、このポンプからの肉エマルジョンを受けるよう、ポンプに作動的に接続されており、細長い中空ソーセージケーシングの外側表面をスライド可能に受けるようになっている細長い詰め込みチューブと、前記チューブが作動的に係合する状態に移動した時にチューブ上のケーシングを受け、これを回転させるようになっているねじりアセンブリと、肉エマルジョンが充填されたケーシングをリンクするように、ねじりアセンブリの下流側においてフレームに設けられたケーシングリンクアセンブリと、前記ポンプおよびリンクアセンブリを作動させるよう、フレームに設けられた動力手段とを備える、ソーセージ詰め装置において、
前記チューブの出口端の下流側におけるケーシングの上部表面の位置を検出するように、前記チューブの出口端の下流側に位置するフレームに設けられたケーシングセンサを備え、前記ケーシングが、前記チューブの出口端から下流側に移動する際の、前記ケーシングの複数の直径に関するデータを収集するように、前記センサが所定の時間の間、ケーシングの長手方向部分をスキャンするようになっており、かつ所定時間の間に検出されるチューブの平均直径を決定するための手段が設けられており、前記平均直径を所定の直径パラメータと比較するように、コンピュータが使用されるようになっている、ソーセージ詰め装置。
【請求項４】
フレームと、肉エマルジョンポンプと、このポンプからの肉エマルジョンを受けるよう、ポンプに作動的に接続されており、細長い中空ソーセージケーシングの外側表面をスライド可能に受けるようになっている細長い詰め込みチューブと、前記チューブが作動的に係合する状態に移動した時にチューブ上のケーシングを受け、これを回転させるようになっているねじりアセンブリと、肉エマルジョンが充填されたケーシングをリンクするようにねじりアセンブリの下流側において、フレームに設けられたケーシングリンクアセンブリと、前記ポンプ、ねじりアセンブリおよびリンクアセンブリを作動させるようフレームに設けられた動力手段とを備える、ソーセージ詰め装置を制御する方法において、
前記チューブを出る肉エマルジョンがケーシングを満たすように、チューブに細長い中空ソーセージケーシングを挿入するステップと、前記ポンプ、前記ねじりアセンブリおよび前記リンクアセンブリに作動動力を供給するステップと、チューブの出口端からケーシングが下流側に移動する際の、ケーシングの複数の直径のデータを収集するよう、所定の時間の間、前記チューブの出口端から下流側のある長さのケーシングの外径を検出するステップと、前記所定時間中に検出されるチューブの平均直径を決定するステップと、前記平均直径が所定の直径のパラメータ外である場合に、装置の作動を停止させるステップとを有する、ソーセージ詰め装置を制御する方法。
【手続補正書】
【提出日】平成17年1月7日(2005.1.7)
【手続補正１】
【補正対象書類名】特許請求の範囲
【補正対象項目名】全文
【補正方法】変更
【補正の内容】
【特許請求の範囲】
【請求項１】
第１の血管および第２の血管の吻合のための外科器具であって：
遠位端および近位端を有するハウジングと、これらの間に配置されたアクチュエーターとを備え、該アクチュエーターが：
第１の位置から少なくとも１つの次の位置に移動可能であるハンドル；および
該ハンドルと機械的に係合し、そして該第１の位置から該少なくとも１つの次の位置への該ハンドルの移動に応答する発射ストロークにより移動可能であるリンクアセンブリ；を含み、
該ハウジングの遠位端に、該アクチュエーターと機械的に協同する使い捨て可能な装填ユニットが解除可能に取り付けられ、該使い捨て可能な装填ユニットが、該発射ストロークによる該アクチュエーターの移動に際し変形する複数の外科ファスナーを含む、外科器具。
【請求項２】
前記リンクアセンブリが、少なくとも３つのリンクを含む、請求項１に記載の外科器具。
【請求項３】
前記ハンドルおよびリンクアセンブリの発射ストロークが、少なくとも：
前記リンクが、前記ハウジングを通って配列される水平軸に対して斜めに配置される、第１の発射前段階；
該リンクが完全に伸長し、そして該水平軸に実質的に平行である、中間段階；および
該リンクが、該水平軸に対して斜めに配置される、第３の発射後段階、を含む、請求項２に記載の外科器具。
【請求項４】
前記リンクアセンブリの前記第１の段階から第２の段階への移動が、前記外科ファスナーを変形する、請求項３に記載の外科器具。
【請求項５】
前記リンクアセンブリの前記第２の段階から第３への段階への移動が、前記使い捨て可能な充填ユニットから前記外科ファスナーを解除する、請求項３に記載の外科器具。
【請求項６】
前記リンクアセンブリが、スプリングを、前記発射ストロークの第１の段階および第２の段階を通じて付勢する、請求項５に記載の外科器具。
【請求項７】
前記リンクアセンブリの第１の段階および第２の段階を通じる移動の間の前記スプリングの付勢が、該リンクアセンブリの第２の段階から第３の段階への移動を機械的に容易にし、前記外科ファスナーを解除する、請求項６に記載の外科器具。
【請求項８】
前記アクチュエーターの作動を容易にする、第２のハンドルをさらに備える、請求項１に記載の外科器具。
【請求項９】
前記ハンドルが、前記発射ストロークの終了後、前記ハウジングに近接して該ハンドルをロックするタブを備える、請求項１に記載の外科器具。
【請求項１０】
第１の血管および第２の血管の吻合のための外科器具であって、該外科器具は、以下：
遠位端および近位端を有するハウジングと、該ハウジングに対して回動可能に取り付けられている少なくとも１つのハンドル、
該ハウジングの該遠位端に取り付けられた取り外し可能に取り付けられた使い捨て可能な装填ユニットであって、該ハウジングが、複数の外科ファスナーを解除可能に支持するように構成されている、使い捨て可能な装填ユニット；
を備え、
該ハンドルは、該ハウジングに対して間隔が開いた関係にある第１の位置から該ハウジングに対してより近い第２の位置へ移動可能であり、該第１の位置から該第２の位置へ該ハンドルを動かす際に、複数の外科ファスナーを変形するようにトグル接合と協同し、該第１の位置において、該トグル接合は、弛緩した配向に配置されており、該第２の位置において、該トグル接合は、該外科ファスナーを変形するために、真っ直ぐに完全に延びた位置に配置されている、
外科器具。
【請求項１１】
前記ハンドルは、第２の位置から第３の位置へ移動可能であり、該第３の位置は、該ハウジングにより近く、過剰に伸びて、前記使い捨て可能な装填ユニットから前記外科ファスナーを解除するように、該トグル接合を該真っ直ぐに完全に伸びた位置にそらしている、請求項１０に記載の吻合のための外科器具。
【請求項１２】
前記ハンドルを前記第１の位置から前記第２の位置に移動する際に、前記トグル接合は、第２の方向にバネを付勢し、該ハンドルを第２の位置から第３の位置に移動する際に、該バネは、前記外科ファスナーの解除を容易にするように脱付勢する、請求項１１に記載の吻合のための外科器具。
【請求項１３】
前記バネの力は、前記トグル接合を前記過剰に伸びた配向で維持する、請求項１２に記載の吻合のための外科器具。
【請求項１４】
前記ハンドルを前記第２の位置および前記第３の位置のうちの少なくとも１つにロックするためのロッキングフランジをさらに備える、請求項１０に記載の吻合のための外科器具。
【請求項１５】
前記トグル接合は、３つのリンクを備える、請求項１０に記載の吻合のための外科器具。
【請求項１６】
前記トグル接合は、遠位リンクおよび近位リンクを備え、該遠位リンクおよび近位リンクは、各々、中心リンクに回動可能に取り付けられており、該中心リンクは、前記ハンドルの前記遠位端に配置されている、請求項１５に記載の吻合のための外科器具。
【請求項１７】
前記中心リンクは、前記ハンドルと一体して関連づけられている、請求項１６に記載の吻合のための外科器具。
【請求項１８】
前記器具は、移動可能なハンドルおよび固定ハンドルを備える、請求項１０に記載の吻合のための外科器具。
【手続補正書】
【提出日】平成15年9月12日(2003.9.12)
【手続補正１】
【補正対象書類名】特許請求の範囲
【補正対象項目名】全文
【補正方法】変更
【補正の内容】
【特許請求の範囲】
【請求項１】
少なくとも１つの機能的要素と少なくとも１つの検知ユニットとを含む生体内挿入端と非挿入端とを有する中心本体を具備する医療ツール。
【請求項２】
前記非挿入端はコントローラを含み、該コントローラは前記機能的要素に機能的に連結される、請求項１に記載のツール。
【請求項３】
前記ツールは、シリコン、プラスチックまたは金属を含む、請求項１に記載のツール。
【請求項４】
前記機能的要素は、捕捉器、ブレード、クランプ、組織収集バスケット、治療を行うための手段、ステント、鉗子、スネア、止血装置、拡張バルーン、カテーテル、括約筋切開刀、ガイドワイヤおよび縫合装置からなる群から選択された１つまたはそれ以上の要素を具備する、請求項１に記載のツール。
【請求項５】
前記検知ユニットは、画像センサ、ｐＨ計、圧力検出器および温度センサからなる群から選択された少なくとも１つのセンサを具備する、請求項１に記載のツール。
【請求項６】
少なくとも１つの照射源を具備する、請求項１に記載のツール。
【請求項７】
前記照射源はＬＥＤである、請求項６に記載のツール。
【請求項８】
送信機を具備する、請求項１に記載のツール。
【請求項９】
前記送信機はワイヤレス送信機である、請求項８に記載のツール。
【請求項１０】
前記送信機は無線周波数送信機である、請求項８に記載のツール。
【請求項１１】
チャネルを具備する、請求項１に記載のツール。
【請求項１２】
前記チャネルは、少なくとも前記中心本体を通り抜ける、請求項１１に記載のツール。
【請求項１３】
少なくとも１つの機能的要素と、
前記機能的要素に機能的に連結されるコントローラと、
少なくとも１つの画像形成ユニットと、
を具備する医療ツール。
【請求項１４】
前記機能的要素は、捕捉器、ブレード、クランプ、組織収集バスケット、治療を行うための手段、ステント、鉗子、スネア、止血装置、拡張バルーン、カテーテル、括約筋切開刀、ガイドワイヤおよび縫合装置からなる群から選択された１つまたはそれ以上の要素を具備する、請求項１３に記載のツール。
【請求項１５】
前記画像形成ユニットは、
少なくとも１つの画像センサと、
少なくとも１つの照射源と、
を具備する、請求項１３に記載のツール。
【請求項１６】
送信機を具備する、請求項１３に記載のツール。
【請求項１７】
前記送信機はワイヤレス送信機である、請求項１３に記載のツール。
【請求項１８】
少なくとも１つの機能的要素及び少なくとも１つの検知ユニットを含む生体内挿入端と非挿入端とを有する中心本体を具備する装置と、
生体内センサと通信する送信機と、
受信機と、
を具備する、生体内処置を行うためのシステム。
【請求項１９】
生体内情報を表示するために前記受信機と通信するモニタを具備する、請求項１８に記載のシステム。
【請求項２０】
前記生体内情報を処理するためのプロセッサを具備する、請求項１８に記載のシステム。
【手続補正書】
【提出日】平成17年2月8日(2005.2.8)
【手続補正１】
【補正対象書類名】明細書
【補正対象項目名】００２０
【補正方法】変更
【補正の内容】
【００２０】
投薬器１００（又は、一続きの投薬器１００）は、ブリスター包装を形成するのに通常採用される方法と同じ方法でウェブ上に形成され得る。ブリスター１４２及びチャネル１４４は、上部シート１４０に対応するウェブに熱成形され、容器１６６は、下部シート１６０に対応するウェブに熱成形される。中間シート１５０に対応するウェブは、シート１４０及び１６０に対応するウェブの間に挿入される。次いで、シート１４０、１５０及び１６０に対応するウェブは、容器１６６内に配置された薬剤５とともに、図３に示されるように、積層された形状でヒート・シールされる。薬剤５が、容器１６６内に最初に置かれ、その後、シート１５０に対応するウェブがシート１６０に対応するウェブにヒート・シールされ、薬剤５を包装し、その後、シート１４０に対応するウェブがシート１５０に対応するウェブの反対側にヒート・シールされ、一体の投薬器１００を形成することが好ましい。次に、投薬器１００は、残りのウェブから型抜きされるか、さもなければ、切り離される。
【手続補正２】
【補正対象書類名】明細書
【補正対象項目名】００３２
【補正方法】変更
【補正の内容】
【００３２】
図６を参照すると、別の実施形態に係る投薬器３００がここに示されている。投薬器３００は、上部シート１４０及び下部シート１６０にそれぞれ対応する上部シート３４０及び下部シート３６０を含み、中間シート１５０が中間シート３５０Ａ及び３５０Ｂに代替されることを除いて、投薬器１００と同じ方法で構成され得る。シート３５０Ｂは、（点線で示される）入口膜３５２を含み、シート３５０Ａは、（点線で示される）出口膜３５４を含んでいる。シート３５０Ａ、３５０Ｂは、延伸フィルムで形成されている。ここで使用されるように、「延伸フィルム」は、押出し成形中又は成形後、流動方向に延伸されるフィルムを意味する。シート３５０Ａ、３５０Ｂは、一軸延伸フィルムで形成されている。
【手続補正３】
【補正対象書類名】明細書
【補正対象項目名】００３４
【補正方法】変更
【補正の内容】
【００３４】
コンピュータによる数理的モデル化に基づいて、乱流、すなわち、図３及び４に示される薬剤５を収容する室を通過する送出流体の「変転」によって、常により優れた投与が達成される。入口膜３５２は、出口膜とほぼ同時に破裂する。好ましい実施形態では、膜は、ポリオレフィンから形成され、最も好ましくは、０．３−１．５（ミル；mil）の厚さ及び１．２−１０（気圧；atmosphere）、より好ましくは、５（気圧）以下、最も好ましくは、１．５−４（気圧）、の破裂圧力を有するポリエチレンのフィルムから形成される。この破裂圧力は、丸く膨らんだ部分、すなわちブリスター１４２などを手でつぶすことにより簡単に達成され得る。さらに、コンピュータによる数理的モデル化に基づいて、最も高い薬剤送出速度は、送出装置の出口において破裂可能な高分子膜を１つだけ使用することにより達成される。それは、また、以下に述べられるような突き刺し要素５５２又は６５３を使用することにより達成され得る。突き刺し要素が利用される場合、入口膜は、適切な高分子から形成され得る。しかし、ポリオレフィンから形成されることが好ましい。上記したように、ポリエチレンから形成されることが最も好ましい。
【手続補正４】
【補正対象書類名】明細書
【補正対象項目名】００４５
【補正方法】変更
【補正の内容】
【００４５】
ブリスター８４２が押圧されると、壁８４２Ａ、８４２Ｂは、好ましくは壁８４２Ａ、８４２Ｂの共通の中心軸と同一直線状にある垂直方向Ｖに、ブリスター８４２を誘導するのに役立つ。曲線的な壁８４２Ｂは、ブリスター８４２が下にある部分に対して容易に陥没することを可能にする。ブリスター８４２の入れ子（伸縮）形状は、ブリスターが押圧されているとき、該ブリスターの転倒を防止することを助ける。
【手続補正書】
【提出日】平成15年8月29日(2003.8.29)
【手続補正１】
【補正対象書類名】特許請求の範囲
【補正対象項目名】全文
【補正方法】変更
【補正の内容】
【特許請求の範囲】
【請求項１】
心臓のデータを体内にて伝送する配置を形成する複数の植込み型医療装置を含むＬＦＡＰＦ（Ｌｅａｄｌｅｓｓ  Ｆｕｌｌｙ  Ａｕｔｏｍａｔｉｃ  Ｐａｃｅｍａｋｅｒ  Ｆｏｌｌｏｗ−ｕｐ）装置において、該配置が、
第一の植込み型装置と、
第二の植込み型装置と、
心臓データを前記第一の植込み型装置から前記第二の植込み型装置まで伝送する手段とを備える、ＬＦＡＰＦ装置。
【請求項２】
請求項１の装置において、
前記第一の植込み型装置が心臓ペースメーカである、装置。
【請求項３】
請求項１の装置において、
前記第二の植込み型装置がカルジオバージョン−除細動器（ｃａｒｄｉｏｖｅｒｔｅｒ−ｄｅｆｉｂｒｉｌｌａｔｏｒ）である、装置。
【請求項４】
請求項１の装置において、
前記心臓データがＥＣＧトレーシングを含む、装置。
【請求項５】
請求項１の装置において、
前記伝送手段が皮下電極配列を含む、装置。
【請求項６】
リードレスの全自動のペースメーカフォローアップ（ＬＦＡＰＦ）装置と協働して植込み型医療装置（ＩＭＤ；Ｉｍｐｌａｎｔｅｄ  Ｍｅｄｉｃａｌ  Ｄｅｖｉｃｅ）の記憶装置（ｍｅｍｏｒｙ  ｂａｎｋ）から複数の生理学的データを採取し且つ伝送する方法において、
採取方法を開始させるべく少なくとも１つの命令を発することと、
ＩＭＤの記憶装置に問合せることと、
前記複数の生理学的データを採取することと、
該データを患者のファイルに伝送することとを備える、方法。
【請求項７】
請求項６の方法において、
テレメトリー装置が少なくとも１つの命令を発するように実行される、方法。
【請求項８】
請求項６の方法において、
記憶装置への問合せが、患者のセッションファイル内の結果を伝送することを含む、ＩＭＤ記憶装置のほぼ完全な問合せを含む、方法。
【請求項９】
請求項６の方法において、
磁石モードが励起され、
ＳＥＡ（Ｓｕｂｃｕｔａｎｅｏｕｓ  Ｅｌｅｃｔｒｏｄｅ  Ａｒｒａｙ；皮下電極配列）が実行されて所定の時間間隔にて前記複数の生理学的データの少なくとも１つを採取する、方法。
【請求項１０】
請求項６の方法において、
前記複数の生理学的データの前記少なくとも１つがＥＣＧトレーシングを含む、方法。
【請求項１１】
請求項９の方法において、
前記所定の時間間隔が多数の秒を含む、方法。
【請求項１２】
請求項６の方法において、
前記複数の生理学的データとは別のデータを採取し得るように磁石モードを中断することにより非磁石モードが呼び出される（ｉｎｖｏｋｅｄ）、方法。
【請求項１３】
請求項１１の方法において、
前記データとは別の前記データが非磁石ＥＣＧトレーシングを含む、方法。
【請求項１４】
請求項６の方法において、
記憶装置内の探知を励起（ｔｒｉｇｇｅｒｉｎｇ）させた後、前記複数の生理学的データの特定型式のものが採取される、方法。
【請求項１５】
請求項１４の方法において、
前記特定型式のデータが、心室の捕捉自動閾値、心房の捕捉自動閾値、心室の検出閾値及び心房の検出閾値の少なくとも１つを含む、方法。
【請求項１６】
請求項１５の方法において、
前記心室検出閾値が自動的に測定される、方法。
【請求項１７】
請求項６の方法において、
患者のファイルに伝送されたデータの全てを含む印刷したレポートが発生される、方法。
【手続補正書】
【提出日】平成16年12月6日(2004.12.6)
【手続補正１】
【補正対象書類名】特許請求の範囲
【補正対象項目名】全文
【補正方法】変更
【補正の内容】
【特許請求の範囲】
【請求項１】
イオン種を第１液体から第２液体へ移送するための装置であって、
その間に第１液体を収容する第１チャンバーを規定する、少なくとも２つのアニオン交換膜（ＣＥＭ）又は少なくとも２つのカチオン交換膜（ＡＥＭ）、
第２液体のための少なくとも２つのさらなるチャンバー、ここで、さらなるチャンバーのそれぞれは少なくとも１つの第１チャンバーに隣接している、
１セットの末端膜、及び
該膜に電場をかける手段
を有する上記装置。
【請求項２】
電場をかける手段が、少なくとも２つの電極の形態にある請求項１記載の装置。
【請求項３】
さらなるチャンバーが、第１チャンバーと１つのさらなる膜の間に位置している請求項１又は２記載の装置。
【請求項４】
さらなる膜が、中性の、アニオン交換膜又はカチオン交換膜である請求項３記載の装置。
【請求項５】
電極が、末端膜に隣接している請求項１記載の装置。
【請求項６】
電場の向きを変更するための手段を含む請求項１〜５のいずれか１項記載の装置。
【請求項７】
電場が、予め決定された実質的に定期的なインターバルで電場の向きを変更するための手段を含む請求項６項記載の装置。
【請求項８】
インターバルが５〜６０００秒の範囲内である請求項７項記載の装置。
【請求項９】
イオン種を第２液体から第３液体に移すために双極電気透析セルで第２液体を処理する手段を含む請求項１〜８のいずれか１項記載の装置。
【請求項１０】
イオン種を第３液体から分離するための手段を含む請求項９項記載の装置。
【請求項１１】
第３液体から望ましくないイオンを除くようになっている電気透析セルを含む請求項１〜１０のいずれか１項記載の装置。
【請求項１２】
電気透析セルが、双極電気透析セルの下流に置かれている請求項１１記載の装置。
【請求項１３】
イオン種を第１液体から第２液体へ移送するための方法であって、
一対のアニオン交換膜又はカチオン交換膜で規定される少なくとも１つの第１チャンバーに第１液体を通すこと、
第１液体における同じ成分の濃度よりも濃い濃度でイオン成分を有する第２液体を、少なくとも２つのさらなるチャンバーに通すこと、ここで、さらなるチャンバーのそれぞれは少なくとも１つの第１チャンバーに隣接している、及び
少なくとも２つの電極手段により該膜に電場をかけること、
を含む上記方法。
【請求項１４】
第２液体のイオン成分が、Ｈ+又はＯＨ-である請求項１３記載の方法。
【請求項１５】
液体が、膜によって規定されるチャンバーであって、交互に第１液体又は第２液体を受け取るようになっているチャンバーを通す請求項１３又は１４記載の方法。
【請求項１６】
電極ともう一つの膜の間に置かれた末端膜を用いることを含む請求項１３〜１５のいずれか１項記載の方法。
【請求項１７】
イオン種の移送の間に、電場の向きが変化する請求項１３〜１６のいずれか１項記載の方法。
【請求項１８】
電場が、予め決定された実質的に定期的なインターバルで変化する請求項１７記載の方法。
【請求項１９】
インターバルが５〜６０００秒の範囲内である請求項１８記載の方法。
【請求項２０】
双極電気透析セルで第２液体を処理して、イオン種を第２液体から第３液体に移す請求項１３〜１９のいずれか１項記載の方法。
【請求項２１】
イオン種を第３液体から分離する請求項２０記載の方法。
【手続補正書】
【提出日】平成16年1月13日(2004.1.13)
【手続補正１】
【補正対象書類名】特許請求の範囲
【補正対象項目名】全文
【補正方法】変更
【補正の内容】
【特許請求の範囲】
【請求項１】
水と食物を含むポット本体、およびポット本体の上部の開口部分を開閉するための蓋を有する調理ポットであって、
ポット本体の内部へ突き出ている蓋の内側に形成される補助加熱手段；
前記ポット本体との接続部分の方向に沿って突き出る蓋の外側の縁に形成され、調理ポット中の蒸気圧によって蒸気換気をコントロールすることができる蒸気換気手段を有する側部；
蓋の上面に確保された蓋ハンドル；
そして前記ハンドルに形成され、外部電源手段と接続するか、切断する電源接続手段であって、電気的に前記補助加熱手段に接続されているもの、
を有する調理ポット。
【請求項２】
電気発熱体が前記補助加熱手段の先端に形成され、該電気発熱体の外縁を囲んで加熱板が形成される、請求項１記載の調理ポット。
【請求項３】
該蒸気換気手段が、長さ方向に沿って蓋の側面に形成された複数のスリットである、請求項１記載の調理ポット。
【請求項４】
電源接続手段が、
本体とホルダーを有するソケット、
ホルダーの壁の上に形成されたスルーホール中に配置される鋼球、
ソケットの外側に配置される押し込み部分であって、長さ方向に上下に移動できるもの、および
該ホルダーと押し込み部分との間に形成されたスプリング、
を有する、請求項１記載の調理ポット。
【請求項５】
ソケットのホルダーに、プラグ受容部が形成され、電源手段のプラグを受容し、接続デバイスが該プラグの接続末端と電気的に接続するようにインストールされる、請求項４記載の調理ポット。
【請求項６】
弧状の溝が該押し込み部分の内側に、鋼球と同じ寸法で形成され、該押し込み部分が押し下げられたときに弧状の溝が鋼球と組み合わされるようにする、請求項４記載の調理ポット。
【請求項７】
エンゲージメント溝がプラグの外周縁に、鋼球と同じ寸法で形成され、該プラグがソケットのホルダーに挿入されたときに、鋼球がエンゲージメント溝にしっかりと確保されるようにする、請求項５または６記載の調理ポット。
【請求項８】
水と食物を含むポット本体、およびポット本体の上部の開口部分を開閉するための蓋を有する調理ポットであって、
前記ポット本体との接続部分の方向に沿って突き出る蓋の外側の縁に形成され、調理ポット中の蒸気圧によって蒸気換気をコントロールすることができる蒸気換気手段を有する側部；
蓋の上面に形成されたパイプ状のハンドル；
ハンドル内に挿入され、外部電線と接続される補助加熱手段、
を有する調理ポット。
【請求項９】
該蒸気換気手段が、長さ方向に沿って蓋の側面に形成された複数のスリットである、請求項８記載の調理ポット。
【請求項１０】
補助加熱手段が棒状に成型され、電線と反対側に電気発熱体がビルトインされ、該電気発熱体および電線が電気的に接続されている、請求項８記載の調理ポット。
【請求項１１】
接続手段が補助加熱手段と接続されるハンドルの上端に形成され、該接続手段が、
ハンドルの上端に形成されたホルダー、
ホルダー部分の壁のスルーホール中に配置される鋼球、
ソケットの外側に形成される押し込み部分であって、長さ方向に上下に移動できるもの、および
該ホルダーと押し込み部分との間に形成されたスプリング、
を有する、請求項８記載の調理ポット。
【請求項１２】
弧状の溝が該押し込み部分の内側に、鋼球と同じ寸法で形成され、該押し込み部分が押し下げられたときに弧状の溝が鋼球と組み合わされるようにする、請求項１１記載の調理ポット。
【請求項１３】
エンゲージメント溝が補助加熱手段の外周縁に、鋼球と同じ寸法でインストールされ、該補助加熱手段がソケットのホルダーに挿入されたときに、鋼球がエンゲージメント溝にしっかりと確保されるようにする、請求項１１または１２記載の調理ポット。
【請求項１４】
水と食物を含むポット本体、およびポット本体の上部の開口部分を開閉するための蓋を有する調理ポットであって、
該ポット本体の底部および側部に形成された電気発熱体、
電気的に電気発熱体と接続され、外部電源手段と接続されている電源接続手段、
前記ポット本体との接続方向に突き出る蓋の外側の縁に形成され、調理ポット中の蒸気圧によって蒸気換気をコントロールすることができる蒸気換気手段を有する側部；
を含む調理ポット。
【請求項１５】
電源接続手段が、ソケットおよび温度コントローラーを含み、ポット本体の側面に形成されたハンドル内にインストールされる、請求項１１記載の調理ポット。
【請求項１６】
該蒸気換気手段が、長さ方向に沿って蓋の側面に形成された複数のスリットである、請求項１４または１５記載の調理ポット。
【手続補正書】
【提出日】平成15年12月25日(2003.12.25)
【手続補正１】
【補正対象書類名】特許請求の範囲
【補正対象項目名】全文
【補正方法】変更
【補正の内容】
【特許請求の範囲】
【請求項１】
骨の第２部分が、骨折によって骨の第１部分から隔てられている骨において、骨の第１部分を第２部分に密着させるための装置であって、
前記装置は、
前記骨ネジを推進的に回転させるための台、および、前記台の回転によって、骨の第１および第２部分の内の少なくとも一方の中に埋め込まれる少なくとも２本の螺旋スパイクとを含む骨ネジを含み、
前記台は、
実質的であり前記骨ネジの長軸方向に対しほぼ垂直に伸びる第１の表面を含み、
前記少なくとも２本の螺旋スパイクは、
前記台の前記第１の表面から接線方向に突出し、前記長軸の周囲に延び、
遠位端に、前記台の回転につれて前記骨中に侵入する先端部を有し、
前記骨ネジは、
第１および第２部分同士を互いに嵌合させ、それによって骨折を治癒可能とするために、
前記骨ネジの第１部分が、前記骨の第１および第２部分のうちの一方に侵入することができる第１条件と、
前記骨ネジの第２部分が、前記骨の第１部分および第２部分のうちの残る他方に侵入することができる第２条件と、を有し、
前記少なくとも２本の螺旋スパイクは、前記骨の第１および第２部分の少なくとも一方に埋め込まれると、骨内部のぐらつきや、骨からの抜去に対して抵抗性を示す、装置。
【請求項２】
前記骨の骨折は、骨の第１部分における第１辺縁と、骨の第２部分における第２辺縁とによって定義され、
第１および第２辺縁は、前記骨ネジが前記第２条件に移行するにつれて、圧迫されて互いに接触するに至る、請求項１に記載の装置。
【請求項３】
前記骨ネジの前記第１条件において、前記少なくとも２本の螺旋スパイクは骨の第１および第２部分の内の一方に埋め込まれるためのものであり、
前記骨ネジの前記第２条件において、前記少なくとも２本の螺旋スパイクは、骨の第１および第２部分の両方に埋め込まれるためのものである、請求項１に記載の装置。
【請求項４】
前記少なくとも２本の螺旋スパイクの各々は、埋め込まれると、前記少なくとも２本の螺旋スパイクが前記台から遠ざかって延びるにつれてその直径が増大する円錐形を有する、請求項１に記載の装置。
【請求項５】
前記少なくとも２本の螺旋スパイクそれぞれの少なくとも一部は、所定の転移温度範囲を上回る、または、下回る温度変化に対して反応する形状記憶合金から形成され、
前記少なくとも２本の螺旋スパイクは、前記少なくとも２本の螺旋スパイクが骨に埋め込まれていくにつれて、前記所定の転移温度範囲を越えて加熱される、請求項１に記載の装置。
【手続補正書】
【提出日】平成15年8月4日(2003.8.4)
【手続補正１】
【補正対象書類名】特許請求の範囲
【補正対象項目名】全文
【補正方法】変更
【補正の内容】
【特許請求の範囲】
【請求項１】
グリーティングカードに関連して使用され、支持手段のみによりグリーティングカードに接続されている粒子状物質収容容器を備え、前記支持手段は、使用中に前記グリーティングカードに隣接する第１の端部と、前記グリーティングカードに対して自由に動ける第２の端部とを備え、前記粒子状物質収容容器は、前記支持手段の前記第２の端部に隣接する位置で前記支持手段に取付けられ、使用中、前記支持手段が前記粒子状物質収容容器を前記グリーティングカードから遠ざけることによって前記粒子状物質収容容器の中の粒子状物質が空中に推進されるようになっていることを特徴とする粒子状物質推進装置。
【請求項２】
折り目により分離されている第１の面と第２の面とを有するカードをさらに備えており、前記折り目が開いているときには開位置となり、前記折り目が閉じているときには閉位置となり、前記粒子状物質収容容器が、使用前に前記カードの中に保持されるように配置されていることを特徴とする請求項１に記載の粒子状物質推進装置。
【請求項３】
前記支持手段の前記第１の端部が前記カードの前記折り目に隣接する位置にあることを特徴とする請求項２に記載の粒子状物質推進装置。
【請求項４】
第１の開口及び第２の開口が前記カードの前記折り目の中に設けられ、前記支持手段は前記第１及び第２の開口を通過し、これによって前記支持手段は、前記カードの内面にあり前記第１の端部に隣接する第１の部分と、前記カードの外面にある第２の部分と、前記支持手段の前記第２の端部に隣接し前記カードの内面にある第３部分とを備えていることを特徴とする請求項２又は請求項３に記載の粒子状物質推進装置。
【請求項５】
閉位置で前記粒子状物質収容容器を保持するように配置されている留め具が設けられていることを特徴とする請求項２から請求項４までのいずれか１項に記載の粒子状物質推進装置。
【請求項６】
前記留め具は、前記カードの前記第２の面上に位置することを特徴とする請求項５に記載の粒子状物質推進装置。
【請求項７】
前記留め具は、前記粒子状物質推進装置が前記閉位置にあるときに、前記カードの前記第１の面により、前記粒子状物質収容容器を解放しないようにされていることを特徴とする請求項６に記載の粒子状物質推進装置。
【請求項８】
第１のタブが前記カードの前記第１の面から延びており、前記粒子状物質推進装置が前記閉位置にあるときに、前記第１のタブが前記粒子状物質収容容器と前記カードの第２の面との間に位置するように配置されていることを特徴とする請求項７に記載の粒子状物質推進装置。
【請求項９】
第２のタブが前記カードの前記第２の面から延びており、前記第２のタブが前記カードの前記第１の面の中の窓を通過するように配置され、これによって、前記第２のタブが前記カードの前記第１の面の外側部分に固定されているときに、開かないようになっていることを特徴とする請求項８に記載の粒子状物質推進装置。
【請求項１０】
前記粒子状物質推進装置は、前記閉位置にある前記粒子状物質推進装置を開くことにより作動されることを特徴とする請求項２から請求項９までのいずれか１項に記載の粒子状物質推進装置。
【請求項１１】
前記支持手段は、弾性材料で形成されていることを特徴とする請求項１から請求項１０までのいずれか１項に記載の粒子状物質推進装置。
【請求項１２】
前記支持手段は、ばね鋼で形成されていることを特徴とする請求項１１に記載の粒子状物質推進装置。
【請求項１３】
前記カードはグリーティングカードであることを特徴とする請求項１から請求項１２までのいずれか１項に記載の粒子状物質推進装置。
【請求項１４】
前記カードは、グリーティングカードに挿入する挿入物であることを特徴とする請求項１から請求項１２までのいずれか１項に記載の粒子状物質推進装置。
【請求項１５】
前記粒子状物質推進装置は、該粒子状物質推進装置を前記グリーティングカードに取付ける取付け手段を備えていることを特徴とする請求項１４に記載の粒子状物質推進装置。
【請求項１６】
前記粒子状物質が紙吹雪であることを特徴とする請求項１から請求項１５までのいずれか１項に記載の粒子状物質推進装置。
【手続補正書】
【提出日】平成17年5月6日(2005.5.6)
【手続補正１】
【補正対象書類名】特許請求の範囲
【補正対象項目名】全文
【補正方法】変更
【補正の内容】
【特許請求の範囲】
【請求項１】
スピンドル軸がモータスピンドルのハウジング内に軸方向移動可能な軸受ブッシュをもつ固定軸受と可動軸受とに収容されていて、収容されたバイトがスピンドル軸を駆動される際に加工される工作物をバイト切削箇所に接触し、バイトを収容するスピンドル軸をもつモータスピンドルにおいて、調整要素がモータスピンドル（２７）の軸受ブッシュ（３８）の軸方向移動性を調整するために設けられていることを特徴とするモータスピンドル。
【請求項２】
調整要素が一つのピストン（３５）を有することを特徴とする請求項１に記載のモータスピンドル。
【請求項３】
シリンダ（４３）がピストン（３５）を作動するために設けられていることを特徴とする請求項１或いは請求項２に記載のモータスピンドル。
【請求項４】
シリンダ（４３）が電気流動或いは電磁流動液体（４４）により充填されることを特徴とする請求項２或いは請求項３に記載のモータスピンドル。
【請求項５】
コイル（５４）が液体（４４）の粘性を変更するために設けられていることを特徴とする請求項４に記載のモータスピンドル。
【請求項６】
調整要素が一つの拡張可能なリング要素（３６）を有することを特徴とする請求項１乃至請求項３のいずれか一項に記載のモータスピンドル。
【請求項７】
調整要素が空圧的に作動できることを特徴とする請求項１乃至請求項６のいずれか一項に記載のモータスピンドル。
【請求項８】
調整要素が液圧的に作動できることを特徴とする請求項１乃至請求項７のいずれか一項に記載のモータスピンドル。
【請求項９】
送り要素がバイト（３２）と加工した工作物（３３）との間の相対運動を発生するために設けられていることを特徴とする請求項１乃至請求項８のいずれか一項に記載のモータスピンドル。
【請求項１０】
送り要素が工作物（３３）に対するバイト（３２）の加速された運動を行う少なくとも一つの早戻り機構と，工作物（３３）に対するバイト（３２）の減速された運動を行う少なくとも一つの作業機構とを有することを特徴とする請求項９に記載のモータスピンドル。
【請求項１１】
変位センサー（３４）がバイト交換の際に工作物（３３）とバイト（３２）との接触の時点を求めるために設けられていることを特徴とする請求項１乃至請求項９のいずれか一項に記載のモータスピンドル。
【請求項１２】
スピンドル軸をもつモータスピンドル、特に請求項１乃至請求項１１のいずれか一項に記載のモータスピンドルの可動軸受の軸受ブッシュの軸方向移動可能性を調整する方法において、モータスピンドルの軸受ブッシュの軸方向移動可能性が送り要素により調整されることを特徴とする方法。
【請求項１３】
変位センサーによりバイト交換の際に工作物とバイトとの接触の時点が検出され、その際に上昇した送り速度をもつ一つの早戻り機構から減速した送り速度をもつ一つの作業機構へ切換られることを特徴とする請求項１２に記載の方法。
【請求項１４】
一つの早戻り機構内の工作物にバイトを接近させる間にモータスピンドルのスピンドル軸の剛性が減少されることを特徴とする請求項１１或いは請求項１２に記載の方法。
【請求項１５】
モータスピンドルのスピンドル軸の剛性が工作物と接近させたバイトとの接触の際に上昇されることを特徴とする請求項１１乃至請求項１４のいずれか一項に記載の方法。